(57)【要約】【課題】簡易な構成で検査対象物の生検部位と対向する位置に開口部を配置させることができるバイオプシ装置を提供する。【解決手段】検査対象物３５を圧迫部材４６にて圧迫した状態で検査対象物３５の生検部位６８に生検針６６を刺入して組織の一部を採取するバイオプシ装置１０において、圧迫部材４６は、検査対象物３５と接触し、かつ生検針６６が通る開口部５４が形成された接触部５０と、支持部２８に設けられ、かつ接触部５０を着脱可能に保持する保持部５２と、を備え、接触部５０は、保持部５２に対する開口部５４の相対位置が変更されるように保持部５２に装着されることを特徴とする。【選択図】図１
2010227177.tif 000002
【特許請求の範囲】
【請求項１】
検査対象物を圧迫部材にて圧迫した状態で前記検査対象物の生検部位に生検針を刺入して組織の一部を採取するバイオプシ装置において、
前記圧迫部材は、前記検査対象物と接触し、かつ前記生検針が通る開口部が形成された接触部と、
装置本体に設けられ、かつ前記接触部を着脱可能に保持する保持部と、を備え、
前記接触部は、前記保持部に対する前記開口部の相対位置が変更されるように前記保持部に装着されることを特徴とするバイオプシ装置。
【請求項２】
請求項１記載のバイオプシ装置において、
前記接触部は板状に形成され、
前記保持部は、前記接触部の側面と係合するフレーム部を有することを特徴とするバイオプシ装置。
【請求項３】
請求項２記載のバイオプシ装置において、
前記フレーム部は、伸縮自在に形成されていることを特徴とするバイオプシ装置。
【請求項４】
請求項２記載のバイオプシ装置において、
前記フレーム部は、伸縮自在に形成され、
前記接触部は、面積の異なる複数の側面を有していることを特徴とするバイオプシ装置。
【請求項５】
圧迫部材にて保持された検査対象物の生検部位に生検針を刺入して組織の一部を採取するバイオプシ装置において、
前記圧迫部材は、装置本体に設けられた保持部と、
前記生検針が通る開口部が形成され、かつ前記保持部に対して前記生検針の刺入方向と直交する方向に回転可能に設けられた接触部と、を有することを特徴とするバイオプシ装置。
【請求項６】
請求項１〜５のいずれか１項に記載のバイオプシ装置において、
前記接触部には、前記開口部が複数形成されていることを特徴とするバイオプシ装置。
【請求項７】
請求項１〜６のいずれか１項に記載のバイオプシ装置において、
前記検査対象物を撮影するための撮影部をさらに備えていることを特徴とするバイオプシ装置。
【請求項８】
請求項５記載のバイオプシ装置において、
前記検査対象物を撮影するための撮影部と、
前記撮影部にて撮影された前記検査対象物の画像に基づいて、前記生検部位と対向する位置に前記開口部が配置されるように前記接触部を回転する回転制御部をさらに備えていることを特徴とするバイオプシ装置。
【発明の詳細な説明】
【技術分野】
【０００１】
本発明は、検査対象物を圧迫する圧迫部材を備えたバイオプシ装置に関する。
【背景技術】
【０００２】
従来より、病気の診断等のため、検査対象物中の生検部位（例えば、乳房中の病変部位）の組織を採取して精密な検査を行うことを目的としたバイオプシ装置が開発されている。
【０００３】
バイオプシ装置として、プローブが通る開口部が形成された外側ウインドウを三面フレームガイドに取り付け、その三面フレームガイドを移動させることにより外側ウインドウを乳房に押し付けるものが知られている（特許文献１〜３参照）。この装置では、開口部の三面フレームに対する相対位置が一定になるように外側ウインドウが三面フレームガイドに取り付けられる。
【先行技術文献】
【特許文献】
【０００４】
【特許文献１】特開２００５−３３４６４３号公報
【特許文献２】特開２００５−３３４６４４号公報
【特許文献３】特開２００５−３３４６４５号公報
【発明の概要】
【発明が解決しようとする課題】
【０００５】
通常、バイオプシのような長時間（例えば４０分程度）の検査では、被検者の姿勢をできる限り楽にした状態で検査を実施することが望ましい。
【０００６】
上述した装置では、開口部の三面フレームに対する相対位置が一定になるように外側ウインドウが三面フレームに取り付けられているので、被検者の姿勢を楽にした状態のままでは乳房の病変部位を開口部と対向する位置に配置させることができないことがある。この場合、乳房のポジショニングを行うことにより病変部位を開口部と対向する位置に配置させる必要があるので、被検者は無理な姿勢を強いられるおそれがある。
【０００７】
そこで、本発明は、簡易な構成で検査対象物の生検部位と対向する位置に開口部を配置させることができるバイオプシ装置を提供することを目的とする。
【課題を解決するための手段】
【０００８】
本発明のバイオプシ装置は、検査対象物を圧迫部材にて圧迫した状態で前記検査対象物の生検部位に生検針を刺入して組織の一部を採取するバイオプシ装置において、前記圧迫部材は、前記検査対象物と接触し、かつ前記生検針が通る開口部が形成された接触部と、装置本体に設けられ、かつ前記接触部を着脱可能に保持する保持部と、を備え、前記接触部は、前記保持部に対する前記開口部の相対位置が変更されるように前記保持部に装着されることにより、上述した課題を解決する。
【０００９】
本発明のバイオプシ装置によれば、保持部に対する開口部の相対位置が変更されるので、保持部に対する開口部の相対位置が変更されない装置と比べて、検査対象物に対する開口部の開口領域を実質的に広くすることができる。つまり、従来において、無理な姿勢でなければ生検部位を開口部と対向する位置に配置させることができなかったケースでも、保持部に対する開口部の相対位置を変更することにより、楽な姿勢で生検部位と対向する位置に開口部を配置させることができる。また、保持部に対する開口部の相対位置が変更されるように接触部を保持部に装着すればよいので、簡易な構成で検査対象物の生検部位と対向する位置に開口部を配置させることができる。なお、開口部とは、接触部を切り欠くようにして形成されるものを含む。
【００１０】
本発明のバイオプシ装置の一形態において、前記接触部は板状に形成され、前記保持部は、前記接触部の側面と係合するフレーム部を有してもよい。この形態によれば、接触部の側面とフレーム部とを係合させることで接触部が保持部に保持されるので、接触部を保持部に保持させるための係合部材が邪魔になって接触部と検査対象物との接触が妨げられるといった懸念を排除することができる。これにより、圧迫部材にて検査対象物を確実に圧迫することができる。また、接触部の上下面に係合部材が配置されることがないので、接触部の開口部のレイアウト設計を自由に行うことができる。
【００１１】
上記形態においては、開口部のレイアウトが異なる接触部を複数用意しておき、それら接触部の中から選んだ適当な接触部を保持部に装着してもよいし、１枚の接触部を用いて、保持部に対する開口部の相対位置が変更されるようにその接触部を保持部に装着してもよい。前者の場合、形状が異なる複数の接触部（例えば、正方形板や長方形板等）を利用することがある。この時、前記フレーム部は、伸縮自在に形成されてもよい。この形態によれば、装着される接触部の形状に合わせてフレーム部を伸縮するので、形状が異なる複数の接触部を用いた場合でも接触部の側面とフレーム部とを確実に係合させることがきる。これにより、形状が異なる複数の接触部に対応することができる。
【００１２】
一方、後者の場合、保持部に装着されている接触部を保持部から一旦取り外し、その接触部を所定角度だけ回転させた上で保持部に再び装着することにより、保持部に対する開口部の相対位置が変更される。この時、前記フレーム部は、伸縮自在に形成され、前記接触部は、面積の異なる複数の側面を有してもよい。面積の異なる複数の側面を有する接触部（例えば辺の長さの異なる長方形板等）を利用する場合、保持部に対する開口部の相対位置が変更されるように接触部を保持部に装着する際に、フレーム部と係合する接触部の側面の面積が変更されることがある。この形態によれば、フレーム部と係合する接触部の側面の面積に合わせてフレーム部を伸縮するので、面積の異なる複数の側面を有する接触部を利用する場合でも接触部の側面とフレーム部とを確実に係合させることができる。これにより、面積が異なる複数の側面を有する接触部に対応することができる。
【００１３】
本発明のバイオプシ装置は、圧迫部材にて保持された検査対象物の生検部位に生検針を刺入して組織の一部を採取するバイオプシ装置において、前記圧迫部材は、装置本体に設けられた保持部と、前記生検針が通る開口部が形成され、かつ前記保持部に対して前記生検針の刺入方向と直交する方向に回転可能に設けられた接触部と、を有することにより、上述した課題を解決してもよい。
【００１４】
このバイオプシ装置によれば、接触部が保持部に対して回転可能であるので、保持部に対する開口部の相対位置を接触部の回転方向に任意に変更することができる。これにより、従来において、無理な姿勢でなければ生検部位を開口部と対向する位置に配置させることができなかったケースでも、保持部に対する開口部の相対位置を変更することにより楽な姿勢で生検部位と対向する位置に開口部を配置させることができる。また、保持部に対して接触部を回転させることで保持部に対する開口部の相対位置が変更されるので、簡易な構成で検査対象物の生検部位と対向する位置に開口部を配置させることができる。
【００１５】
本発明のバイオプシ装置の一形態において、前記接触部には、前記開口部が複数形成されてもよい。この形態によれば、接触部に開口部が複数形成されるので、１つ１つの開口部の大きさを抑えつつ、開口部全体の開口領域を維持することができる。これにより、接触部に比較的大きい開口部を１つだけ形成した場合と比較して、接触部の剛性を高めることができる。
【００１６】
通常、検査対象物中の病変部位を特定するために、バイオプシ検査を行う前に検査対象物の放射線画像撮影等が行われる。バイオプシ装置と撮影装置とを別体に設けた場合、被検者は撮影装置で撮影を行った後にバイオプシ装置に移動する必要がある。本発明のバイオプシ装置の一形態においては、前記検査対象物を撮影するための撮影部をさらに備えてもよい。この形態によれば、被検者は撮影部にて撮影を行った後に移動する必要がないので、全体の検査時間を短縮することができる。
【００１７】
本発明のバイオプシ装置の一形態においては、前記検査対象物を撮影するための撮影部と、前記撮影部にて撮影された前記検査対象物の画像に基づいて、前記生検部位と対向する位置に前記開口部が配置されるように前記接触部を回転する回転制御部をさらに備えてもよい。この形態によれば、撮影部で検査対象物を撮影することで検査対象物中の病変部位（生検部位）の正確な位置を知ることができる。そして、撮影された画像に基づいて接触部を回転させているので、生検部位と対向する位置に開口部を確実に配置させることができる。
【発明の効果】
【００１８】
以上説明したように、本発明のバイオプシ装置によれば、保持部に対する開口部の相対位置が変更されるので、従来において、無理な姿勢でなければ生検部位を開口部と対向する位置に配置させることができなかったケースでも、楽な姿勢で生検部位と対向する位置に開口部を配置させることができる。また、保持部に対する開口部の相対位置が変更されるように接触部を保持部に装着すればよいので、簡易な構成で検査対象物の生検部位と対向する位置に開口部を配置させることができる。
【図面の簡単な説明】
【００１９】
【図１】第１の実施形態に係るバイオプシ装置の外観図である。
【図２】バイオプシハンド部の説明図である。
【図３】圧迫部材の外観図である。
【図４】第１の実施形態に係るバイオプシ装置の制御回路ブロック図である。
【図５】第１の実施形態に係るバイオプシ装置の動作を説明するためのフローチャートである。
【図６】保持部に対する開口部の相対位置が変更される様子を説明するための図である。
【図７】第２の実施形態に係るバイオプシ装置の圧迫部材の要部を示す図である。
【図８】第３の実施形態に係るバイオプシ装置の圧迫部材の要部を示す図である。
【発明を実施するための形態】
【００２０】
以下、本発明に係るバイオプシ装置の実施形態例について図１〜図８を参照しながら説明する。バイオプシ装置は、検査対象物（例えば乳房）を圧迫部材で圧迫した状態で検査対象物の生検部位（病変部位）に生検針を刺入して組織の一部を採取する装置である。
【００２１】
（第１の実施形態）
先ず、第１の実施形態に係るバイオプシ装置について図１〜図６を参照しながら説明する。バイオプシ装置１０は、病院等の床面に設置されて鉛直方向（図１の矢印Ｚ方向）に延びた基台１２と、基台１２に対して鉛直方向に移動可能に設けられた可動部１４と、基台１２に設けられた表示操作部１６と、コンピュータ１８とを備えている。
【００２２】
可動部１４は、アーム部材２０と、撮影部２２と、生検部２４とを備えている。
【００２３】
アーム部材２０は、水平方向（図１の矢印Ｘ方向）に延びた回転軸２６と、鉛直方向に延びた支持部２８と、検査台３０及び取手部３２、３２とを有している。回転軸２６の一端は、鉛直方向に移動可能な状態で基台１２に接続されている。回転軸２６の他端は、支持部２８に固定されている。回転軸２６は、その軸線の回りに支持部２８を回転する。支持部２８は、回転軸２６とは反対側に位置する検査台３０を支持する。検査台３０には、被検者３４の検査対象物３５が配置される（図２参照）。そのため、検査台３０は、検査対象物３５よりも幾らか大きく形成されている。被検者３４は、その検査対象物３５を検査台３０に配置した状態で支持部２８に設けられた取手部３２、３２を把持する。これにより、被検者３４は所定の姿勢を容易に維持することが可能となる。
【００２４】
撮影部２２は、検査対象物３５に放射線を照射することにより画像を取得する。撮影部２２は、照射部３６と、固体検出器３８とを有している。照射部３６には、放射線を照射する放射線源４０と、放射線源４０を収容する収容部４２とが設けられている。収容部４２は、ヒンジ部４４を介して支持部２８の上方に連結されており、回転軸２６の回転方向と同じ方向にヒンジ部４４を支点に角度θだけ回転する。固体検出器３８は、検査対象物３５を透過した放射線を検出する。固体検出器３８は、検査台３０の内部に収容されている（図２参照）。
【００２５】
生検部２４は、検査台３０の鉛直上方に配置された圧迫部材４６と、バイオプシハンド部４８とを有している。
【００２６】
圧迫部材４６は、検査台３０と略同一の大きさに形成されている。圧迫部材４６は、正方形板状に形成されて検査対象物３５と接触する接触部５０と、接触部５０を着脱可能に保持する保持部５２とを有している。
【００２７】
接触部５０には、開口部５４が形成されている。但し、開口部５４のレイアウト（位置及び大きさ）は、任意に設定することができる。例えば、開口部５４は、接触部５０を切り欠くようにして形成しても構わない。接触部５０の全ての側面には、接触部５０を保持部５２に装着するための第１係合部材５６が設けられている（図３参照）。
【００２８】
保持部５２は、支持部２８にて鉛直方向に移動可能に支持されている。保持部５２は、接触部５０を保持するためのフレーム部５８を有している。フレーム部５８は、保持部５２の一部を正方形状に切り欠くようにして形成されている。これにより、接触部５０を保持部５２の切り欠き部に配置させることが可能となる。なお、フレーム部５８は、検査対象物３５を検査台３０に配置した状態の被検者３４から見て左右方向（図１の矢印Ｙ方向）に保持部５２を切り欠くようにして形成されていることが好ましい。接触部５０の着脱時に被検者３４が邪魔になることがないからである。また、図３に示すように、フレーム部５８には、第１係合部材５６に対応する第２係合部材６０が設けられている。第２係合部材６０の配置は、任意に設定することができるが、４つの第１係合部材５６のうち３つに係合できるように配置することが好ましい。第１係合部材５６と第２係合部材６０とを３カ所で係合させることで保持部５２に対する接触部５０の保持を確実に行えるからである。第１及び第２係合部材５６、６０としては、様々なものを利用することができる。例えば、第１係合部材５６として、凸状に形成されたレール（凸状レール）を、第２係合部材６０として、凸状レールと対応する溝部を利用してもよい。この場合、凸状レールを溝部に嵌め込むことで接触部５０が保持部５２に装着される。なお、第１係合部材として溝部を、第２係合部材として凸状レールを利用してもよい。また、第１及び第２係合部材５６、６０として、ねじを利用してもよい。
【００２９】
図２に示すように、バイオプシハンド部４８は、保持部５２に固定されたポスト６２と、ポスト６２に軸支されて接触部５０の上面に沿って移動可能なアーム６４と、アーム６４に設けられて鉛直方向に移動可能な生検針６６とを有する。生検針６６は、検査対象物３５の生検部位６８の組織を吸引して採取する採取部７０を有する。
【００３０】
図１に示すように、表示操作部１６は、被検者３４の撮影部位、撮影方向等の撮影情報、被検者３４のＩＤ情報等を表示するとともに、これら情報を設定することができる。
【００３１】
コンピュータ１８は、基台１２に対する回転軸２６の鉛直方向の移動、回転軸２６の回転、収容部４２の回転を制御する。
【００３２】
また、図４に示すように、コンピュータ１８は、撮影条件設定部７２と、放射線源駆動制御部７４と、生検針駆動制御部７６と、圧迫部材駆動制御部７８と、画像変換部８０と、画像情報記憶部８２と、表示部８４と、生検部位選択部８６と、生検部位位置情報算出部８８とを備えている。
【００３３】
撮影条件設定部７２は、管電流、管電圧、放射線源に設定されるターゲットやフィルタの種類、放射線の照射線量、照射時間等の撮影条件を設定する。
【００３４】
放射線源駆動制御部７４は、撮影条件設定部７２に設定された撮影条件に基づいて放射線源４０を駆動制御する。
【００３５】
生検針駆動制御部７６は、生検針６６を所定位置に移動させる。
【００３６】
圧迫部材駆動制御部７８は、圧迫部材４６を鉛直方向に移動させる。
【００３７】
画像変換部８０は、固体検出器３８にて検出された信号を画像情報に変換する。
【００３８】
画像情報記憶部８２は、画像変換部８０により変換された画像情報を記憶する。
【００３９】
表示部８４は、生検部位６８を含む検査対象物３５の放射線透過画像を表示する。
【００４０】
生検部位選択部８６は、表示部８４に表示された放射線透過画像から、生検部位６８を選択する。
【００４１】
生検部位位置情報算出部８８は、画像情報記憶部８２に記憶されている画像情報に対する選択された生検部位６８の位置情報を算出する。
【００４２】
次に、本形態のバイオプシ装置１０の動作について図５に示すフローチャートを参照しながら説明する。
【００４３】
先ず、ステップＳ１において、撮影条件設定部７２は、管電流、管電圧、放射線源に設定されるターゲットやフィルタの種類、放射線の照射線量、照射時間等の撮影条件を設定する。
【００４４】
その後、ステップＳ２において、技師は、所定の撮影方法に従い、被検者３４の検査対象物３５のポジショニングを行う。所定の撮影方法としては、検査台３０を水平状態として上方から放射線を照射して撮影を行う頭尾方向（ＣＣ）撮影、検査台３０を鉛直状態として水平方向から放射線を照射して撮影を行う測面方向（ＭＬ）撮影、検査台３０を傾斜状態として斜め方向から放射線を照射して撮影を行う内外側斜位（ＭＬＯ）撮影等が用いられる。また、コンピュータ１８は、所定の撮影方法に従って基台１２に対する回転軸２６の鉛直方向の移動、回転軸２６の回転、収容部４２の回転を駆動制御する。そして、検査対象物３５を検査台３０に配置した後に、圧迫部材駆動制御部７８は、圧迫部材４６を鉛直下方に移動する。これにより、検査対象物３５が検査台３０と接触部５０とに挟まれて圧迫される。
【００４５】
その後、ステップＳ３において、放射線源駆動制御部７４は、放射線源４０を駆動して検査対象物３５のスカウト撮影を行う。なお、スカウト撮影とは、収容部４２を回転させることなく、放射線の光軸が検査台３０に直交する状態となるように設定して行う撮影である。ステップＳ３の具体的な処理は、以下のように行われる。放射線源４０から出力された放射線は、圧迫部材４６を介して検査対象物３５を透過した後、検査台３０に収容されている固体検出器３８に照射される。そして、画像変換部８０は、固体検出器３８にて検出された信号を画像情報に変換する。その後、この画像情報は、一旦画像情報記憶部８２に記憶される。
【００４６】
その後、ステップＳ４において、表示部８４は、画像情報記憶部８２に記憶されている画像情報を表示する。
【００４７】
その後、ステップＳ５において、生検部位選択部８６は、表示部８４に表示された画像から生検部位６８を選択する。
【００４８】
その後、ステップＳ６において、生検部位位置情報算出部８８は、生検針６６の初期位置を基準に選択された生検部位６８の位置を算出する。
【００４９】
その後、ステップＳ７において、技師は、接触部５０の開口部５４の位置を調整する。具体的には、技師は、表示部８４に表示されている画像から生検部位６８と対向する位置に開口部５４が配置されているか否かを判断する。そして、生検部位６８と対向する位置に開口部５４が配置されている場合には、技師は開口部５４の位置を調整しない。一方、生検部位６８と対向する位置に開口部５４ａ（図６において実線で示した開口部５４ａ）が配置されていない場合には、技師は開口部５４ａの位置を調整する。この時、技師は、保持部５２に保持されている接触部５０を一旦取り外し、保持部５２に対する開口部５４の相対位置が変更されるように接触部５０を保持部５２に再び装着する。これにより、生検部位６８と対向する位置に開口部５４ｂ（図６において二点鎖線で示した開口部５４ｂ）が配置される。なお、図６の例の場合では、保持部５２から取り外した接触部５０は、所定角度（９０°）回転させた上で保持部５２に再び装着している。また、このステップＳ７では、検査対象物３５を接触部５０にて圧迫している状態（接触部５０と検査対象物３５とが接触している状態）で接触部５０を保持部５２から着脱することが困難である場合には、圧迫部材４６を鉛直上方に移動させて接触部５０を検査対象物３５から離間させた状態で接触部５０を保持部５２に着脱してもよい。
【００５０】
その後、ステップＳ８において、生検針駆動制御部７６は、生検針６６を生検部位６８近傍に移動させる。詳しくは、生検針駆動制御部７６は、アーム６４を移動させて生検部位６８の上部に生検針６６を位置させた後に、生検針６６を鉛直下方に移動させる。これにより、生検針６６が接触部５０の開口部５４を通り検査対象物３５に刺入され、生検針６６の採取部７０が生検部位６８近傍に導かれる。
【００５１】
その後、ステップＳ９において、生検針６６による吸引処理で生検部位６８が採取される。この処理が終了後、制御ルーチンは終了する。
【００５２】
以上の構成のバイオプシ装置１０においては、生検部位６８と対向する位置に開口部５４が配置されていない場合に、保持部５２から接触部５０を一旦取り外して接触部５０を所定角度だけ回転させた状態で、接触部５０を保持部５２に再び装着している。これにより、保持部５２に対する開口部５４の相対位置が変更されるので、保持部５２に対する開口部５４の相対位置が変更されない装置と比べて、検査対象物３５に対する開口部５４の開口領域を実質的に広くすることができる。つまり、従来において、無理な姿勢でなければ開口部５４と対向する位置に生検部位６８を配置させることができなかったケースでも、保持部５２に対する開口部５４の相対位置を変更することにより、楽な姿勢で（検査対象物３５を再度ポジショニングすることなく）生検部位６８と対向する位置に開口部５４を配置させることができる。また、本形態では、接触部５０の全ての側面に第１係合部材５６を設けているので、保持部５２に対する開口部５４の相対位置を４つのパターンで変更することが可能である。さらに、接触部５０の凸状レールを保持部５２の溝部に嵌め込むだけで接触部５０が保持部５２に装着されるので、簡易な構成で検査対象物３５の生検部位６８と対向する位置に開口部５４を配置させることができる。
【００５３】
本形態では、第１係合部材５６を接触部５０の側面に設けているので、接触部５０を保持部５２に装着した際に、第１及び第２係合部材５６、６０が邪魔になって接触部５０と検査対象物３５との接触が妨げられるといった懸念を排除することができる。これにより、圧迫部材４６にて検査対象物３５を確実に圧迫することができる。また、接触部５０の開口部５４のレイアウト設計を自由に行うことができる。
【００５４】
通常、検査対象物の病変部位（生検部位）を特定するために、バイオプシ検査を行う前に検査対象物の放射線画像撮影等が行われる。バイオプシ装置と撮影装置とを別体に設けた場合、被検者は撮影装置で撮影を行った後にバイオプシ装置に移動する必要がある。本形態では、バイオプシ装置１０は撮影部２２を有しているので、被検者３４は撮影部２２にて撮影を行った後に移動する必要がないので、全体の検査時間を短縮することができる。
【００５５】
（第２の実施形態）
次に、第２の実施形態に係るバイオプシ装置について図７を参照しながら説明する。なお、第２の実施形態は、第１の実施形態と共通する構成には同一の参照符号を付して説明を省略する。
【００５６】
第２の実施形態は、フレーム部２５８及び接触部２５０の構成が第１の実施形態と異なる。具体的には、接触部２５０は面積の異なる複数の側面を有し（例えば、辺の長さが異なる長方形状板に形成され）ており、フレーム部２５８は伸縮自在に構成されている。フレーム部２５８は、回転軸２６の軸線方向（図７の矢印Ｘ方向）に延びた第１フレーム９０と、第１フレーム９０の両端に設けられて第１フレーム９０と直交する方向（図７の矢印Ｙ方向）に延びた第２フレーム９２、９２とを備えている。第１フレーム９０は、中空状に形成された第１フレーム本体９４と、出し入れ自在な状態で第１フレーム本体９４の中に挿設された第１伸縮フレーム９６とを有している。第２フレーム９２、９２は、中空状に形成された第２フレーム本体９８、９８と、出し入れ自在な状態で第２フレーム本体９８、９８の中にそれぞれ挿設された第２伸縮フレーム１００、１００とを有している。
【００５７】
第２の実施形態では、接触部２５０の長辺の長さをＡに短辺の長さをＢにした場合、第１伸縮フレーム９６を第１フレーム本体９４に収容して第１フレーム９０の長さをＢに設定し、第２伸縮フレーム１００、１００を第２フレーム本体９８、９８から引き出して第２フレーム９２、９２の長さをＡに設定することで、接触部２５０が保持部２５２に装着される。そして、例えば、保持部２５２に対する開口部２５４の相対位置を９０°だけ変更する場合には、一旦接触部２５０を保持部２５２から取り外して接触部２５０を９０°回転させた上で再び接触部２５０を保持部２５２に装着する。この時、第１フレーム９０の長さをＡに第２フレーム９２、９２の長さをＢに設定することで、接触部２５０を保持部２５２に確実に係合させることができる。よって、面積が異なる複数の側面を有する接触部に対応することができる。
【００５８】
第２の実施形態は上述した例に限定されず、種々の形態で実施することができる。接触部として、開口部のレイアウトが異なる板（例えば、正方形状板や長方形状板）を複数利用してもよい。この場合、装着される接触部の形状に合わせて第１及び第２フレームの長さを変更することで接触部を保持部に確実に係合させることができる。よって、形状が異なる複数の接触部に対応することができる。
【００５９】
（第３の実施形態）
次に、第３の実施形態に係るバイオプシ装置について図８を参照しながら説明する。なお、第３の実施形態は、第１の実施形態と共通する構成には同一の参照符号を付して説明を省略する。
【００６０】
第３の実施形態は、第１の実施形態に対して圧迫部材３４６の構成と、圧迫部材駆動制御部３７８の機能と、ステップＳ７の処理内容とが異なる。本形態において、圧迫部材３４６は、円形状に形成された接触部３５０と、接触部３５０を回転可能に支持する保持部３５２とを有する。接触部３５０には、扇形状の開口部３５４が形成されている。但し、開口部３５４のレイアウトは任意に設定してよい。また、圧迫部材駆動制御部３７８は、圧迫部材３４６を鉛直方向に移動させるとともに、接触部３５０を回転させる。
【００６１】
次に、本形態のステップＳ７の処理について説明する。ステップＳ７において、生検部位６８と対向する位置に開口部３５４が配置されていない場合に、圧迫部材駆動制御部３７８は接触部３５０を回転させて開口部３５４を生検部位６８と対向する位置に配置させる。接触部３５０の回転角度は、ステップＳ６で算出された生検部位６８の位置情報に基づいてコンピュータにて算出すればよい。なお、検査対象物３５を接触部３５０にて圧迫している状態（接触部３５０と検査対象物３５とが接触している状態）で接触部３５０を回転することが困難な場合には、圧迫部材３４６を鉛直上方に移動させて接触部３５０を検査対象物３５から離間させた状態で接触部３５０を回転させればよい。
【００６２】
本形態では、撮影部２２で撮影された画像に基づいて接触部３５０を回転させているので、開口部３５４を生検部位６８と対向する位置に確実に配置させることができる。また、技師が接触部を保持部に着脱する手間が省けるので、検査時間を短縮することができる。
【００６３】
本発明は、上記の実施形態に限定されず、種々の形態で実施することができる。本発明に係る接触部には、開口部が複数形成されていてもよい。この場合、１つ１つの開口部の大きさを抑えつつ、開口部全体の開口領域を維持することができる。これにより、接触部に比較的大きい開口部を１つだけ形成した場合と比べて、接触部の剛性を高めることができる。
【符号の説明】
【００６４】
１０…バイオプシ装置
２２…撮影部
２４…生検部
２８…支持部（装置本体）
３４…被検者
３５…検査対象物
４６…圧迫部材
５０、２５０、３５０…接触部
５２、２５２、３５２…保持部
５４、２５４、３５４…開口部
５８…フレーム部
６６…生検針
６８…生検部位
７８、３７８…圧迫部材駆動制御部（回転制御部）
【図１】
2010227177.tif 000003
【図２】
2010227177.tif 000004
【図３】
2010227177.tif 000005
【図４】
2010227177.tif 000006
【図５】
2010227177.tif 000007
【図６】
2010227177.tif 000008
【図７】
2010227177.tif 000009
【図８】
2010227177.tif 000010